(57)【要約】【課題】待機姿勢の変更作業に要する工数を大きく減縮し、作業時間を大幅に短縮し、かつ、狭いトイレルームでも容易に変更作業をすることができる昇降便座を提供する。【解決手段】昇降便座は、駆動機構２０が少なくとも２つのリンク部材４１、４２と、連結軸４５とを備え、外郭カバー６０が着脱可能な待機姿勢変更部６１を備え、リンク部材４１、４２の互いに重なる部分に連結軸４５を嵌合可能な共孔４１ａ、４２ａ；４１ｂ、４２ｂ；４１ｃ、４２ｃが穿設され、それらの何れに連結軸４５が嵌合しているかによって便座１０の待機姿勢が異なり、待機姿勢変更部６１を外郭カバー６０から外して共孔４１ａ、４２ａ；４１ｂ、４２ｂ；４１ｃ、４２ｃおよびこれらのいずれかに嵌合している連結軸４５を露出させ、連結軸４５を他の共孔４１ａ、４２ａ；４１ｂ、４２ｂ；４１ｃ、４２ｃに嵌合可能とした。【選択図】図１
2008161400.tif 000002
【特許請求の範囲】
【請求項１】
便座を外郭カバーが装着された駆動機構によって昇降させるようにした昇降便座において、
前記駆動機構は、少なくとも２つのリンク部材と、連結軸とを備え、
前記外郭カバーは、着脱可能な待機姿勢変更部を備え、
前記２つのリンク部材は、該２つのリンク部材の互いに重なる部分に前記連結軸を嵌合させるための複数の共孔が穿設され、
前記連結軸が前記複数の共孔のうち何れに嵌合しているかによって上昇した便座の待機姿勢が異なり、
前記待機姿勢変更部は、前記外郭カバーから外されると前記複数の共孔および前記連結軸を露出可能に配設され、露出した前記複数の共孔のいずれかに嵌合している前記連結軸を取り外して他の共孔に嵌合可能にしたことを特徴とする昇降便座。
【請求項２】
便座を外郭カバーが装着された駆動機構によって昇降させるようにした昇降便座において、
前記駆動機構は、少なくとも２つのリンク部材と、連結軸とを備え、
前記外郭カバーは、着脱可能な待機姿勢変更部を備え、
前記２つのリンク部材は、該２つのリンク部材の互いに重なる部分に前記連結軸を嵌合させるための共孔をそれぞれ備え、
前記共孔は水平待機姿勢用共孔と、前傾待機姿勢用共孔とを含み、
前記水平待機姿勢用共孔は、該水平待機姿勢用共孔に嵌合した前記連結軸を中心にして、前記２つのリンク部材が回動することで、便座を下降させたとき便座を略水平な着座姿勢にする一方、便座を上昇させたとき便座を前記着座姿勢とほぼ同じ姿勢である水平待機姿勢にするためのものであり、
前記前傾待機姿勢用共孔は、該前傾待機姿勢用共孔に嵌合した前記連結軸を中心にして、前記２つのリンク部材が回動することで、便座を下降させたとき便座を略水平な着座姿勢にする一方、便座を上昇させたとき便座を前記着座姿勢に対して前方に傾いた前傾待機姿勢にするためのものであり、
前記連結軸は、前記水平待機姿勢用共孔および前記前傾待機姿勢用共孔に着脱可能であり、前記水平待機姿勢用共孔および前記前傾待機姿勢用共孔に選択的に嵌合可能なものであり、
前記待機姿勢変更部は、前記外郭カバーから外されると前記共孔および前記連結軸が露出可能に配設され、露出した前記共孔のいずれかに嵌合している前記連結軸を取り外して前記選択的嵌合を可能にしたことを特徴とする昇降便座。
【請求項３】
便座を外郭カバーが装着された駆動機構によって昇降させるようにした昇降便座において、
前記駆動機構は、少なくとも２つのリンク部材と、連結軸とを備え、
前記外郭カバーは、着脱可能な待機姿勢変更部を備え、
前記２つのリンク部材は、Ｘ字状リンクを構成し、前記２つのリンク部材の互いに重なる部分に前記連結軸を嵌合させるための共孔をそれぞれ備え、
前記共孔は水平待機姿勢用共孔と、前傾待機姿勢用共孔とを含み、
前記水平待機姿勢用共孔は、該水平待機姿勢用共孔に嵌合した前記連結軸を中心にして、前記２つのリンク部材を回動したとき、該２つのリンク部材が共に倒伏した折畳状態と、共に起立した展開状態とに変動することで、便座を下降させたとき便座を略水平な着座姿勢にする一方、便座を上昇させたとき便座を前記着座姿勢とほぼ同じ姿勢である水平待機姿勢にするためのものであり、
前記前傾待機姿勢用共孔は、該前傾待機姿勢用共孔に嵌合した前記連結軸を中心にして、前記２つのリンク部材を回動したとき、該２つのリンク部材が共に倒伏した折畳状態と、共に起立した展開状態とに変動することで、便座を下降させたとき便座を略水平な着座姿勢にする一方、便座を上昇させたとき便座を前記着座姿勢に対して前方に傾いた前傾待機姿勢にするためのものであり、
前記連結軸は、前記水平待機姿勢用共孔および前記前傾待機姿勢用共孔に着脱可能であり、前記水平待機姿勢用共孔および前記前傾待機姿勢用共孔に選択的に嵌合可能なものであり、
前記待機姿勢変更部は、前記外郭カバーから外されると前記共孔および前記連結軸が露出可能に配設され、露出した前記共孔のいずれかに嵌合している前記連結軸を取り外して前記選択的嵌合を可能にしたことを特徴とする昇降便座。
【請求項４】
前記駆動機構は、便器の両側に一対配され、
前記一対の駆動機構は、前記便器にそれぞれ装着されていることを特徴とする請求項２または３に記載の昇降便座。
【請求項５】
便座を外郭カバーが装着された駆動機構によって昇降させるようにした昇降便座において、
前記駆動機構は、少なくとも２つのリンク部材と、連結軸とを備え、
前記外郭カバーは、着脱可能な待機姿勢変更部を備え、
前記２つのリンク部材は、該２つのリンク部材の互いに重なる部分に前記連結軸を嵌合させるための共孔をそれぞれ備え、
前記共孔は水平待機姿勢用共孔と、前傾待機姿勢用共孔とを含み、
前記水平待機姿勢用共孔は、該水平待機姿勢用共孔に嵌合した前記連結軸を中心にして、前記２つのリンク部材が回動することで、便座を下降させたとき便座を略水平な着座姿勢にする一方、便座を上昇させたとき便座を前記着座姿勢とほぼ同じ姿勢である水平待機姿勢にするためのものであり、
前記前傾待機姿勢用共孔は、該前傾待機姿勢用共孔に嵌合した前記連結軸を中心にして、前記２つのリンク部材が回動することで、便座を下降させたとき便座を略水平な着座姿勢にする一方、便座を上昇させたとき便座を前記着座姿勢に対して前方に傾いた前傾待機姿勢にするためのものであり、
前記連結軸は、前記水平待機姿勢用共孔および前記前傾待機姿勢用共孔に着脱可能であり、前記水平待機姿勢用共孔および前記前傾待機姿勢用共孔に選択的に嵌合可能なものであり、
前記待機姿勢変更部は、前記外郭カバーから外されると前記共孔および前記連結軸が露出可能に配設され、露出した前記共孔のいずれかに嵌合している前記連結軸を取り外して前記選択的嵌合を可能にするものであり、
前記少なくとも２つのリンク部材を有するリンク機構に動力を供給するためのアクチュエータと、該アクチュエータの動力を前記リンク機構に伝達するための伝達手段とを備え、
前記リンク機構は、便器の両側にそれぞれ配され、
前記アクチュエータは、前記便器の両側の一方に配され、
前記伝達手段は、前記アクチュエータから各リンク機構にそれぞれ延ばされていることを特徴とする昇降便座。
【請求項６】
便座を外郭カバーが装着された駆動機構によって昇降させるようにした昇降便座において、
前記駆動機構は、少なくとも２つのリンク部材と、連結軸とを備え、
前記外郭カバーは、着脱可能な待機姿勢変更部を備え、
前記２つのリンク部材は、Ｘ字状リンクを構成し、前記２つのリンク部材の互いに重なる部分に前記連結軸を嵌合させるための共孔をそれぞれ備え、
前記共孔は水平待機姿勢用共孔と、前傾待機姿勢用共孔とを含み、
前記水平待機姿勢用共孔は、該水平待機姿勢用共孔に嵌合した前記連結軸を中心にして、前記２つのリンク部材を回動したとき、該２つのリンク部材が共に倒伏した折畳状態と、共に起立した展開状態とに変動することで、便座を下降させたとき便座を略水平な着座姿勢にする一方、便座を上昇させたとき便座を前記着座姿勢とほぼ同じ姿勢である水平待機姿勢にするためのものであり、
前記前傾待機姿勢用共孔は、該前傾待機姿勢用共孔に嵌合した前記連結軸を中心にして、前記２つのリンク部材を回動したとき、該２つのリンク部材が共に倒伏した折畳状態と、共に起立した展開状態とに変動することで、便座を下降させたとき便座を略水平な着座姿勢にする一方、便座を上昇させたとき便座を前記着座姿勢に対して前方に傾いた前傾待機姿勢にするためのものであり、
前記連結軸は、前記水平待機姿勢用共孔および前記前傾待機姿勢用共孔に着脱可能であり、前記水平待機姿勢用共孔および前記前傾待機姿勢用共孔に選択的に嵌合可能なものであり、
前記待機姿勢変更部は、前記外郭カバーから外されると前記共孔および前記連結軸が露出可能に配設され、露出した前記共孔のいずれかに嵌合している前記連結軸を取り外して前記選択的嵌合を可能にするものであり、
前記少なくとも２つのリンク部材を有するリンク機構に動力を供給するためのアクチュエータと、該アクチュエータの動力を前記リンク機構に伝達するための伝達手段とを備え、
前記リンク機構は、便器の両側にそれぞれ配され、
前記アクチュエータは、前記便器の両側の一方に配され、
前記伝達手段は、前記アクチュエータから各リンク機構にそれぞれ延ばされていることを特徴とする昇降便座。
【請求項７】
前記アクチュエータは、前記リンク機構の下方に配されていることを特徴とする請求項５または６に記載の昇降便座。
【発明の詳細な説明】
【技術分野】
【０００１】
本発明は、便座を外郭カバーが装着された駆動機構によって昇降させるようにした昇降便座に関する。
【背景技術】
【０００２】
従来の昇降便座としては、２つのリンクを連結軸で回動自在に連結し、略Ｘ字状のリンクを形成し、便器の両側に一対の支持台を配し、支持台を便器と同じく床などに置き、支持台と便座の間に略Ｘ字状のリンクを介在させ、２つのリンクの端部をスライド駆動することで、便座を前方に傾けながら上昇させ、便座を略水平な姿勢から前傾した待機姿勢にすることで、例えば、腰痛などで腰を十分に落として便座に座ることができない人のために、腰をわずかに曲げるだけで、その人の臀部を便座が受け止めることができるようにしている（例えば、特許文献１参照。）。
【０００３】
また、便器の両側に一対の側枠部を配し、側枠部を便器と同じく床などに置き、側枠部に平行四節リンクを介して便座を連結し、電動伸縮駆動体によって、平行四節リンクを駆動させて、便座を略水平な着座姿勢に維持しながら上昇させ、便座の待機姿勢を着座姿勢とほぼ同じ略水平にすることで、例えば、車椅子を使用している人が、車椅子から便座に容易に乗り移ることができるようにしたものもある（例えば、特許文献２参照。）。
【０００４】
しかしながら、上述のような従来の昇降便座では、特許文献１の技術のように便座の待機姿勢を前傾したものにする機種および特許文献２の技術のように便座の待機姿勢を着座姿勢とほぼ同じ略水平にする機種の２つの機種がそれぞれ別個に存在しているが、２つの機種の一方から他方の機種に変更することができない。そのため、昇降便座の製造、販売者は、２つの機種を別々に製造、販売する必要があって、コスト高の要因になる。また、この２つの機種の一方を購入して使用した者が他方の機種を使用する場合には、他方の機種を新たに購入する必要があるという問題点があった。
【０００５】
また、特許文献１の技術では一対の支持台が、特許文献２の技術では一対の側枠部がそれぞれ例えばトイレルームの床に置かれているので、便器の両側に他の物を置くためのスペースが大幅に制限されるという問題もあった。
【０００６】
そこで、特許文献３に開示されているように、同一の機種で簡単な操作によって便座の待機姿勢を変更可能にした昇降便座が提供されている。この昇降便座は、２つのリンク部材に穿設した複数の共孔の何れかに連結軸を嵌合させて２つのリンク部材を連結させるようになっており、何れの共孔に連結軸を嵌合させるかによって便座の待機姿勢を変更することが可能なものである。
【０００７】
【特許文献１】特開平７−２８９４７７号公報
【特許文献２】特開平１１−１６９４０６号公報
【特許文献３】特願２００３−２０７８２５号公報
【発明の開示】
【発明が解決しようとする課題】
【０００８】
特許文献３に記載された発明は、特許文献１および特許文献２の従来の技術が有する問題点を解決しており、便座の待機姿勢を変更するときは、前記共孔に嵌合している連結軸を取り外して他の共孔に嵌合させればよく変更作業が簡易である。
【０００９】
しかしながら、この変更作業を行うときには、昇降便座に取り付けられた便座を取り外し、昇降便座本体をカバーしている外郭カバーを取り外す必要があり、変更作業の工数と時間に改善の余地があった。
【００１０】
本発明は、このような従来の技術が有する課題に着目してなされたもので、待機姿勢の変更作業に要する工数を大きく減縮し、作業時間を大幅に短縮し、かつ、狭いトイレルームでも容易に変更作業をすることができる昇降便座を提供することを目的としている。
【課題を解決するための手段】
【００１１】
かかる目的を達成するための本発明の要旨とするところは、次の各項の発明に存する。
［１］便座（１０）を外郭カバー（６０）が装着された駆動機構（２０）によって昇降させるようにした昇降便座において、
前記駆動機構（２０）は、少なくとも２つのリンク部材（４１、４２）と、連結軸（４５）とを備え、
前記外郭カバー（６０）は、着脱可能な待機姿勢変更部（６１）を備え、
前記２つのリンク部材（４１、４２）は、該２つのリンク部材（４１、４２）の互いに重なる部分に前記連結軸（４５）を嵌合させるための複数の共孔（４１ａ、４２ａ；４１ｂ、４２ｂ；４１ｃ、４２ｃ）が穿設され、
前記連結軸（４５）が前記複数の共孔（４１ａ、４２ａ；４１ｂ、４２ｂ；４１ｃ、４２ｃ）のうち何れに嵌合しているかによって上昇した便座（１０）の待機姿勢が異なり、
前記待機姿勢変更部（６１）は、前記外郭カバー（６０）から外されると前記複数の共孔（４１ａ、４２ａ；４１ｂ、４２ｂ；４１ｃ、４２ｃ）および前記連結軸（４５）を露出可能に配設され、露出した前記複数の共孔（４１ａ、４２ａ；４１ｂ、４２ｂ；４１ｃ、４２ｃ）のいずれかに嵌合している前記連結軸（４５）を取り外して他の共孔（４１ａ、４２ａ；４１ｂ、４２ｂ；４１ｃ、４２ｃ）に嵌合可能にしたことを特徴とする昇降便座。
【００１２】
［２］便座（１０）を外郭カバー（６０）が装着された駆動機構（２０）によって昇降させるようにした昇降便座において、
前記駆動機構（２０）は、少なくとも２つのリンク部材（４１、４２）と、連結軸（４５）とを備え、
前記外郭カバー（６０）は、着脱可能な待機姿勢変更部（６１）を備え、
前記２つのリンク部材（４１、４２）は、該２つのリンク部材（４１、４２）の互いに重なる部分に前記連結軸（４５）を嵌合させるための共孔をそれぞれ備え、
前記共孔は水平待機姿勢用共孔（４１ａ、４２ａ）と、前傾待機姿勢用共孔（４１ｂ、４２ｂ；４１ｃ、４２ｃ）とを含み、
前記水平待機姿勢用共孔（４１ａ、４２ａ）は、該水平待機姿勢用共孔（４１ａ、４２ａ）に嵌合した前記連結軸（４５）を中心にして、前記２つのリンク部材（４１、４２）が回動することで、便座（１０）を下降させたとき便座（１０）を略水平な着座姿勢にする一方、便座（１０）を上昇させたとき便座（１０）を前記着座姿勢とほぼ同じ姿勢である水平待機姿勢にするためのものであり、
前記前傾待機姿勢用共孔（４１ｂ、４２ｂ；４１ｃ、４２ｃ）は、該前傾待機姿勢用共孔（４１ｂ、４２ｂ；４１ｃ、４２ｃ）に嵌合した前記連結軸（４５）を中心にして、前記２つのリンク部材（４１、４２）が回動することで、便座（１０）を下降させたとき便座（１０）を略水平な着座姿勢にする一方、便座（１０）を上昇させたとき便座（１０）を前記着座姿勢に対して前方に傾いた前傾待機姿勢にするためのものであり、
前記連結軸（４５）は、前記水平待機姿勢用共孔（４１ａ、４２ａ）および前記前傾待機姿勢用共孔（４１ｂ、４２ｂ；４１ｃ、４２ｃ）に着脱可能であり、前記水平待機姿勢用共孔（４１ａ、４２ａ）および前記前傾待機姿勢用共孔（４１ｂ、４２ｂ；４１ｃ、４２ｃ）に選択的に嵌合可能なものであり、
前記待機姿勢変更部（６１）は、前記外郭カバー（６０）から外されると前記共孔（４１ａ、４２ａ；４１ｂ、４２ｂ；４１ｃ、４２ｃ）および前記連結軸（４５）が露出可能に配設され、露出した前記共孔（４１ａ、４２ａ；４１ｂ、４２ｂ；４１ｃ、４２ｃ）のいずれかに嵌合している前記連結軸（４５）を取り外して前記選択的嵌合を可能にしたことを特徴とする昇降便座。
【００１３】
［３］便座（１０）を外郭カバー（６０）が装着された駆動機構（２０）によって昇降させるようにした昇降便座において、
前記駆動機構（２０）は、少なくとも２つのリンク部材（４１、４２）と、連結軸（４５）とを備え、
前記外郭カバー（６０）は、着脱可能な待機姿勢変更部（６１）を備え、
前記２つのリンク部材（４１、４２）は、Ｘ字状リンクを構成し、前記２つのリンク部材（４１、４２）の互いに重なる部分に前記連結軸（４５）を嵌合させるための共孔をそれぞれ備え、
前記共孔は水平待機姿勢用共孔（４１ａ、４２ａ）と、前傾待機姿勢用共孔（４１ｂ、４２ｂ；４１ｃ、４２ｃ）とを含み、
前記水平待機姿勢用共孔（４１ａ、４２ａ）は、該水平待機姿勢用共孔（４１ａ、４２ａ）に嵌合した前記連結軸（４５）を中心にして、前記２つのリンク部材（４１、４２）を回動したとき、該２つのリンク部材（４１、４２）が共に倒伏した折畳状態と、共に起立した展開状態とに変動することで、便座（１０）を下降させたとき便座（１０）を略水平な着座姿勢にする一方、便座（１０）を上昇させたとき便座（１０）を前記着座姿勢とほぼ同じ姿勢である水平待機姿勢にするためのものであり、
前記前傾待機姿勢用共孔（４１ｂ、４２ｂ；４１ｃ、４２ｃ）は、該前傾待機姿勢用共孔（４１ｂ、４２ｂ；４１ｃ、４２ｃ）に嵌合した前記連結軸（４５）を中心にして、前記２つのリンク部材（４１、４２）を回動したとき、該２つのリンク部材（４１、４２）が共に倒伏した折畳状態と、共に起立した展開状態とに変動することで、便座（１０）を下降させたとき便座（１０）を略水平な着座姿勢にする一方、便座（１０）を上昇させたとき便座（１０）を前記着座姿勢に対して前方に傾いた前傾待機姿勢にするためのものであり、
前記連結軸（４５）は、前記水平待機姿勢用共孔（４１ａ、４２ａ）および前記前傾待機姿勢用共孔（４１ｂ、４２ｂ；４１ｃ、４２ｃ）に着脱可能であり、前記水平待機姿勢用共孔（４１ａ、４２ａ）および前記前傾待機姿勢用共孔（４１ｂ、４２ｂ；４１ｃ、４２ｃ）に選択的に嵌合可能なものであり、
前記待機姿勢変更部（６１）は、前記外郭カバー（６０）から外されると前記共孔（４１ａ、４２ａ；４１ｂ、４２ｂ；４１ｃ、４２ｃ）および前記連結軸（４５）が露出可能に配設され、露出した前記共孔（４１ａ、４２ａ；４１ｂ、４２ｂ；４１ｃ、４２ｃ）のいずれかに嵌合している前記連結軸（４５）を取り外して前記選択的嵌合を可能にしたことを特徴とする昇降便座。
【００１４】
［４］前記駆動機構（２０）は、便器（１）の両側に一対配され、
前記一対の駆動機構（２０）は、前記便器（１）にそれぞれ装着されていることを特徴とする［２］または［３］に記載の昇降便座。
【００１５】
［５］便座（１０）を外郭カバー（６０）が装着された駆動機構（２０）によって昇降させるようにした昇降便座において、
前記駆動機構（２０）は、少なくとも２つのリンク部材（４１、４２）と、連結軸（４５）とを備え、
前記外郭カバー（６０）は、着脱可能な待機姿勢変更部（６１）を備え、
前記２つのリンク部材（４１、４２）は、該２つのリンク部材（４１、４２）の互いに重なる部分に前記連結軸（４５）を嵌合させるための共孔をそれぞれ備え、
前記共孔は水平待機姿勢用共孔（４１ａ、４２ａ）と、前傾待機姿勢用共孔（４１ｂ、４２ｂ；４１ｃ、４２ｃ）とを含み、
前記水平待機姿勢用共孔（４１ａ、４２ａ）は、該水平待機姿勢用共孔（４１ａ、４２ａ）に嵌合した前記連結軸（４５）を中心にして、前記２つのリンク部材（４１、４２）が回動することで、便座（１０）を下降させたとき便座（１０）を略水平な着座姿勢にする一方、便座（１０）を上昇させたとき便座（１０）を前記着座姿勢とほぼ同じ姿勢である水平待機姿勢にするためのものであり、
前記前傾待機姿勢用共孔（４１ｂ、４２ｂ；４１ｃ、４２ｃ）は、該前傾待機姿勢用共孔（４１ｂ、４２ｂ；４１ｃ、４２ｃ）に嵌合した前記連結軸（４５）を中心にして、前記２つのリンク部材（４１、４２）が回動することで、便座（１０）を下降させたとき便座（１０）を略水平な着座姿勢にする一方、便座（１０）を上昇させたとき便座（１０）を前記着座姿勢に対して前方に傾いた前傾待機姿勢にするためのものであり、
前記連結軸（４５）は、前記水平待機姿勢用共孔（４１ａ、４２ａ）および前記前傾待機姿勢用共孔（４１ｂ、４２ｂ；４１ｃ、４２ｃ）に着脱可能であり、前記水平待機姿勢用共孔（４１ａ、４２ａ）および前記前傾待機姿勢用共孔（４１ｂ、４２ｂ；４１ｃ、４２ｃ）に選択的に嵌合可能なものであり、
前記待機姿勢変更部（６１）は、前記外郭カバー（６０）から外されると前記共孔（４１ａ、４２ａ；４１ｂ、４２ｂ；４１ｃ、４２ｃ）および前記連結軸（４５）が露出可能に配設され、露出した前記共孔（４１ａ、４２ａ；４１ｂ、４２ｂ；４１ｃ、４２ｃ）のいずれかに嵌合している前記連結軸（４５）を取り外して前記選択的嵌合を可能にするものであり、
前記少なくとも２つのリンク部材（４１、４２）を有するリンク機構に動力を供給するためのアクチュエータ（９０）と、該アクチュエータ（９０）の動力を前記リンク機構に伝達するための伝達手段（１００）とを備え、
前記リンク機構は、便器（１）の両側にそれぞれ配され、
前記アクチュエータ（９０）は、前記便器（１）の両側の一方に配され、
前記伝達手段（１００）は、前記アクチュエータ（９０）から各リンク機構にそれぞれ延ばされていることを特徴とする昇降便座。
【００１６】
［６］便座（１０）を外郭カバー（６０）が装着された駆動機構（２０）によって昇降させるようにした昇降便座において、
前記駆動機構（２０）は、少なくとも２つのリンク部材（４１、４２）と、連結軸（４５）とを備え、
前記外郭カバー（６０）は、着脱可能な待機姿勢変更部（６１）を備え、
前記２つのリンク部材（４１、４２）は、Ｘ字状リンクを構成し、前記２つのリンク部材（４１、４２）の互いに重なる部分に前記連結軸（４５）を嵌合させるための共孔をそれぞれ備え、
前記共孔は水平待機姿勢用共孔（４１ａ、４２ａ）と、前傾待機姿勢用共孔（４１ｂ、４２ｂ；４１ｃ、４２ｃ）とを含み、
前記水平待機姿勢用共孔（４１ａ、４２ａ）は、該水平待機姿勢用共孔（４１ａ、４２ａ）に嵌合した前記連結軸（４５）を中心にして、前記２つのリンク部材（４１、４２）を回動したとき、該２つのリンク部材（４１、４２）が共に倒伏した折畳状態と、共に起立した展開状態とに変動することで、便座（１０）を下降させたとき便座（１０）を略水平な着座姿勢にする一方、便座（１０）を上昇させたとき便座（１０）を前記着座姿勢とほぼ同じ姿勢である水平待機姿勢にするためのものであり、
前記前傾待機姿勢用共孔（４１ｂ、４２ｂ；４１ｃ、４２ｃ）は、該前傾待機姿勢用共孔（４１ｂ、４２ｂ；４１ｃ、４２ｃ）に嵌合した前記連結軸（４５）を中心にして、前記２つのリンク部材（４１、４２）を回動したとき、該２つのリンク部材（４１、４２）が共に倒伏した折畳状態と、共に起立した展開状態とに変動することで、便座（１０）を下降させたとき便座（１０）を略水平な着座姿勢にする一方、便座（１０）を上昇させたとき便座（１０）を前記着座姿勢に対して前方に傾いた前傾待機姿勢にするためのものであり、
前記連結軸（４５）は、前記水平待機姿勢用共孔（４１ａ、４２ａ）および前記前傾待機姿勢用共孔（４１ｂ、４２ｂ；４１ｃ、４２ｃ）に着脱可能であり、前記水平待機姿勢用共孔（４１ａ、４２ａ）および前記前傾待機姿勢用共孔（４１ｂ、４２ｂ；４１ｃ、４２ｃ）に選択的に嵌合可能なものであり、
前記待機姿勢変更部（６１）は、前記外郭カバー（６０）から外されると前記共孔（４１ａ、４２ａ；４１ｂ、４２ｂ；４１ｃ、４２ｃ）および前記連結軸（４５）が露出可能に配設され、露出した前記共孔（４１ａ、４２ａ；４１ｂ、４２ｂ；４１ｃ、４２ｃ）のいずれかに嵌合している前記連結軸（４５）を取り外して前記選択的嵌合を可能にするものであり、
前記少なくとも２つのリンク部材（４１、４２）を有するリンク機構に動力を供給するためのアクチュエータ（９０）と、該アクチュエータ（９０）の動力を前記リンク機構に伝達するための伝達手段（１００）とを備え、
前記リンク機構は、便器（１）の両側にそれぞれ配され、
前記アクチュエータ（９０）は、前記便器（１）の両側の一方に配され、
前記伝達手段（１００）は、前記アクチュエータ（９０）から各リンク機構にそれぞれ延ばされていることを特徴とする昇降便座。
【００１７】
［７］前記アクチュエータ（９０）は、前記リンク機構の下方に配されていることを特徴とする［５］または［６］に記載の昇降便座。
【００１８】
前記本発明は次のように作用する。  
駆動機構（２０）が少なくとも２つのリンク部材（４１、４２）と、連結軸（４５）とを備え、２つのリンク部材（４１、４２）が、その２つのリンク部材（４１、４２）の互いに重なる部分に共孔をそれぞれ備え、共孔が水平待機姿勢用共孔（４１ａ、４２ａ）と前傾待機姿勢用共孔（４１ｂ、４２ｂ；４１ｃ、４２ｃ）とを含むものでは、連結軸（４５）を水平待機姿勢用共孔（４１ａ、４２ａ）に嵌合させているとき、２つのリンク部材（４１、４２）が連結軸（４５）を中心に回動すると、便座（１０）が駆動機構（２０）によって略水平な着座姿勢と、その着座姿勢とほぼ同じ姿勢である水平待機姿勢とに昇降するようになっている。
【００１９】
便座（１０）の姿勢を変えながら便座（１０）を昇降させるには、連結軸（４５）を水平待機姿勢用共孔（４１ａ、４２ａ）から外して、前傾待機姿勢用共孔（４１ｂ、４２ｂ；４１ｃ、４２ｃ）に嵌合させればよい。このように、連結軸（４５）の嵌合する共孔（４１ａ、４２ａ；４１ｂ、４２ｂ；４１ｃ、４２ｃ）を変え、２つのリンク部材（４１、４２）の回動中心を変更することによって、便座（１０）が下降したときに略水平な着座姿勢になる一方、便座（１０）が上昇したとき、その着座姿勢に対して前方に傾いた前傾待機姿勢になる。
【００２０】
例えば、水平待機姿勢用共孔（４１ａ、４２ａ）と前傾待機姿勢用共孔（４１ｂ、４２ｂ；４１ｃ、４２ｃ）とは、２つのリンク部材（４１、４２）の各々において別々の位置に穿設される。しかしながら、２つのリンク部材（４１、４２）の一方において、水平待機姿勢用共孔（４１ａ、４２ａ）と前傾待機姿勢用共孔（４１ｂ、４２ｂ；４１ｃ、４２ｃ）とを同一の位置に設けるようにしてもよい。この場合、２つのリンク部材（４１、４２）の他方においては、水平待機姿勢用共孔（４１ａ、４２ａ）と前傾待機姿勢用共孔（４１ｂ、４２ｂ；４１ｃ、４２ｃ）とを別々の位置に設ける。
【００２１】
このように穿設された水平待機姿勢用共孔（４１ａ、４２ａ）および前傾待機姿勢用共孔（４１ｂ、４２ｂ；４１ｃ、４２ｃ）の何れかに嵌合されている連結軸（４５）を取り外して他方の共孔に選択的に嵌合するためには、先ず、便座（１０）が着座姿勢にあるときに外郭カバー（６０）から待機姿勢変更部（６１）を取り外す。
【００２２】
待機姿勢変更部（６１）を取り外すと、外郭カバー（６０）内部の共孔（４１ａ、４２ａ；４１ｂ、４２ｂ；４１ｃ、４２ｃ）およびそれらのいずれかに嵌合している連結軸（４５）が露出する。この状態で、連結軸（４５）を取り外して他の共孔（４１ａ、４２ａ；４１ｂ、４２ｂ；４１ｃ、４２ｃ）に嵌合させ、その後に待機姿勢変更部（６１）を外郭カバー（６０）に取り付ければ良い。このように、便座（１０）の待機姿勢を変更するための作業には昇降便座に取り付けられた便座（１０）を取り外す作業および昇降便座本体から外郭カバー（６０）を取り外す作業の何れも不要であり、待機姿勢変更部（６１）を外郭カバー（６０）から取り外すだけでよいので、待機姿勢変更のための作業が極めて簡易になる。
【００２３】
また、待機姿勢変更部（６１）は、外郭カバー（６０）から取り外したときに共孔（４１ａ、４２ａ；４１ｂ、４２ｂ；４１ｃ、４２ｃ）およびそれらのいずれかに嵌合している連結軸（４５）が露出するだけの大きさがあればよいので、狭いトイレルームであっても、何の支障もなく容易に取外しおよび取付けができる。さらに、待機姿勢変更部（６１）をトイレルームの床面に置いても作業の邪魔になることは皆無である。
【００２４】
２つのリンク部材（４１、４２）がＸ字状リンクを構成したものでは、連結軸（４５）を水平待機姿勢用共孔（４１ａ、４２ａ）に合わせ、２つのリンク部材（４１、４２）を連結軸（４５）を中心に折畳状態と展開状態とに回動することによって、２つのリンク部材（４１、４２）が共に倒伏した状態から共に起立した状態になり、便座（１０）が着座姿勢とほぼ同じ姿勢を維持しながら待機姿勢に昇降するようになる。
【００２５】
一方、連結軸（４５）を水平待機姿勢用共孔（４１ａ、４２ａ）から外して、前傾待機姿勢用共孔（４１ｂ、４２ｂ；４１ｃ、４２ｃ）に嵌合させると、２つのリンク部材（４１、４２）が連結軸（４５）を中心に折畳状態と展開状態とに回動することによって、２つのリンク部材（４１、４２）が共に倒伏した状態から共に起立した状態になり、便座（１０）が着座姿勢と、その着座姿勢に対して前方に傾いた前傾待機姿勢とに昇降するようになる。
【００２６】
２つのリンク部材（４１、４２）を共に起立した状態がＸ字状リンクの高さの最大値であり、また、２つのリンク部材（４１、４２）を共に倒伏した状態がＸ字状リンクの幅の最大値である。したがって、Ｘ字状リンクを取り付けるための取付スペースは、高さ方向および幅方向共に、リンク部材（４１、４２）の長さと同じ長さを確保できれば十分である。
【００２７】
駆動機構（２０）が便器（１）の両側に一対配され、一対の駆動機構（２０）が便器（１）にそれぞれ装着されているものでは、駆動機構（２０）を床などに置く必要がなく、便器（１）の両側に位置する床のスペースが狭いトイレルームなどであっても、装置を設置することができる。
【００２８】
次に、リンク機構は、便器（１）の両側にそれぞれ配され、アクチュエータ（９０）は、便器（１）の両側の一方に配され、伝達手段（１００）は、アクチュエータ（９０）から各リンク機構にそれぞれ延ばされているものでは、昇降便座は以下のように動作する。
【００２９】
アクチュエータ（９０）が始動すると、アクチュエータ（９０）の動力が伝達手段（１００）を介して各々のリンク機構に伝わり、各リンク機構が作動する。連結軸（４５）を水平待機姿勢用共孔（４１ａ、４２ａ）に嵌合させているときには、アクチュエータ（９０）の動力によって、２つのリンク部材（４１、４２）が連結軸（４５）を中心に回動し、便座（１０）が略水平な着座姿勢と、その着座姿勢とほぼ同じ姿勢である水平待機姿勢とに昇降する。
【００３０】
一方、連結軸（４５）を前傾待機姿勢用共孔（４１ｂ、４２ｂ；４１ｃ、４２ｃ）に嵌合させているときには、アクチュエータ（９０）の動力によって、２つのリンク部材（４１、４２）が連結軸（４５）を中心に回動し、便座（１０）が下降したときに略水平な着座姿勢になる一方、便座（１０）が上昇したとき、その着座姿勢に対して前方に傾いた前傾待機姿勢になる。
【００３１】
次に、２つのリンク部材（４１、４２）がＸ字状リンクを構成したものでは、連結軸（４５）を水平待機姿勢用共孔（４１ａ、４２ａ）に嵌合させているときには、アクチュエータ（９０）の動力によって、２つのリンク部材（４１、４２）が連結軸（４５）を中心に折畳状態と展開状態とに回動し、２つのリンク部材（４１、４２）が共に倒伏した状態から共に起立した状態になり、便座（１０）が着座姿勢とほぼ同じ姿勢を維持しながら待機姿勢に昇降するようになる。
【００３２】
一方、連結軸（４５）を前傾待機姿勢用共孔（４１ｂ、４２ｂ；４１ｃ、４２ｃ）に嵌合させているときには、アクチュエータ（９０）の動力によって、２つのリンク部材（４１、４２）が連結軸（４５）を中心に折畳状態と展開状態とに回動し、２つのリンク部材（４１、４２）が共に倒伏した状態から共に起立した状態になって、便座（１０）が着座姿勢と、その着座姿勢に対して前方に傾いた前傾待機姿勢とに昇降するようになる。
【００３３】
次に、アクチュエータ（９０）がリンク機構の下方に配されているものでは、アクチュエータ（９０）とリンク機構とを水平に並べて配置しないで済み、リンク機構およびその周辺部材の厚みを減らすことができ、便座（１０）の脇に温水タンクが配されるようなタイプの衛生洗浄装置であっても、リンク機構回りが温水タンクまで張り出さないから、温水タンクをリンク機構回りに干渉することなく配することができる。
【発明の効果】
【００３４】
本発明にかかる昇降便座によれば、外郭カバーから小さな部材である待機姿勢変更部を取り外して共孔および連結軸を露出させることにより、連結軸を所望の共孔を選択して嵌合させることができるので、便座の待機姿勢の変更作業に要する工数を大きく減縮するとともに作業時間を大幅に短縮することができる。
【００３５】
また、狭いトイレルームでも容易に変更作業をすることができる待機姿勢変更部は、外郭カバーから取り外したときに共孔およびそれらのいずれかに嵌合している連結軸が露出するだけの大きさがあればよいので、小さな部材でよく、狭いトイレルームであっても、何の支障もなく容易に取外しおよび取付けができる。さらに、待機姿勢変更部をトイレルームの床面に置いても作業の邪魔になることが皆無である。
【発明を実施するための最良の形態】
【００３６】
以下、図面に基づき本発明の好適な一実施の形態を説明する。  
図１〜図９は、本発明の一実施の形態を示している。図１〜図３は、本発明の一実施の形態に係る昇降便座の外観を示す図であり、図４〜図９は、昇降便座の駆動機構を示す図である。
【００３７】
図１〜図３に示すように、本実施の形態に係る昇降便座は、洋式便器１に取り付けて使用されるものである。図１および図２並びに図６〜図９に示すように、昇降便座は便座１０を固定するための便座ベース３０とこの便座ベース３０を支持して昇降させるための駆動機構２０を備えている。
【００３８】
便座ベース３０は、便器１の両側の駆動機構２０の上部でそれらを連結するように設けられており、便器１に沿って略Ｕ字形状に形成されていて、前方に開いた開放口を有している。この便座ベース３０は、便座１０と便器１との間に介在して、便座１０を支持するものである。
【００３９】
駆動機構２０は、便器１の両側に配置されて一対を成すように装着されている。図１に示すように、駆動機構２０はベース部材２１に配設されている。ベース部材２１には、後述するリンク部材４２に設けられたプーリ部材１０１が往復動可能なガイド溝２３ａが形成されている。
【００４０】
駆動機構２０は、リンク機構を構成する２つのリンク部材４１、４２と、連結軸４５と、リンク部材４１、４２を有するリンク機構に動力を供給するためのアクチュエータ９０と、このアクチュエータ９０の動力をリンク機構に伝達するための伝達手段１００とを備えている。これらのうちアクチュエータ９０は、便器１の両側のうち片側に配置されている。
【００４１】
これら２つのリンク部材４１、４２は、Ｘ字状リンクを構成している。リンク部材４１は、一方の端部が軸部材５７ａによってベース部材２１の前側寄りの部分に回転可能に支持されている。他方の端部は、便座ベース３０の後部の側面に形成された不図示のスライド溝に沿ってスライド可能に連結されている。
【００４２】
リンク部材４２は、一方の端部にプーリ部材１０１が回転可能に支持されている。このプーリ部材１０１は、ベース部材２１に形成された前記ガイド溝２３ａに移動可能に嵌合している。リンク部材４２の他方の端部は、便座ベース３０の前部の側面に軸部材５７ｂによって揺動可能に支持されている。
【００４３】
一方のリンク部材４１と他方のリンク部材４２との互いに重なる部分には、連結軸４５が着脱して選択的に嵌合可能にする共孔がそれぞれ穿設されている。共孔は、水平待機姿勢用共孔４１ａ、４２ａおよび前傾待機姿勢用共孔４１ｂ、４２ｂ、４１ｃ、４２ｃを含んでいる。一方のリンク部材４１には、水平待機姿勢用共孔４１ａおよび前傾待機姿勢用共孔４１ｂ、４１ｃが穿設されている。また、他方のリンク部材４２には、水平待機姿勢用共孔４２ａおよび前傾待機姿勢用共孔４２ｂ、４２ｃが穿設されている。
【００４４】
これら共孔は、図５、図７および図９に示すように、便座ベース３０を着座姿勢にしたとき、リンク部材４１の水平待機姿勢用共孔４１ａとリンク部材４２の水平待機姿勢用共孔４２ａとは、それらの位置が一致して同心となり、リンク部材４１の前傾待機姿勢用共孔４１ｂとリンク部材４２の前傾待機姿勢用共孔４２ｂとは、それらの位置が一致して同心となり、リンク部材４１の前傾待機姿勢用共孔４１ｃとリンク部材４２の前傾待機姿勢用共孔４２ｃとは、それらの位置が一致して同心となる。すなわち、便座ベース３０を着座姿勢にしたとき、リンク部材４１の共孔４１ａ、４１ｂ、４１ｃとリンク部材４２の共孔４２ａ、４２ｂ、４２ｃとは、それぞれ連結軸４５によって連結されるべきもの同士の位置が一致して同心となる。したがって、便座ベース３０が着座姿勢にあるときに連結軸４５を着脱して選択的に共孔に嵌合させることができる。
【００４５】
前傾待機姿勢用共孔４１ｂ、４２ｂおよび前傾待機姿勢用共孔４１ｃ、４２ｃのいずれかに連結軸４５を嵌合させたときの待機姿勢における便座ベース３０の前傾度合いは、前傾待機姿勢用共孔４１ｂ、４２ｂに連結軸４５を嵌合させたときよりも、前傾待機姿勢用共孔４１ｃ、４２ｃに連結軸４５を嵌合させたときの方が大きい。
【００４６】
図４、図６および図８は、便座ベース３０を待機姿勢にしたときの駆動機構２０の状態を示しており、図５、図７および図９は、便座ベース３０を着座姿勢にしたときの駆動機構２０の状態を示している。このように、連結軸４５は、共孔に嵌合することによって、２つのリンク部材４１、４２を共に倒伏した図５、図７および図９それぞれに示す折畳状態と、共に起立した図４、図６および図８それぞれに示す展開状態とに回動可能に支持するものである。
【００４７】
図４および図５に示すように、駆動機構２０は、連結軸４５を水平待機姿勢用共孔４１ａ、４２ａに嵌合させることによって、連結軸４５を中心に２つのリンク部材４１、４２を回動させ、２つのリンク部材４１、４２を折畳状態と展開状態とに変動させて、便座ベース３０がほぼ水平になる着座姿勢（図５に示した姿勢）と、便座ベース３０がやはりほぼ水平になって待機する水平待機姿勢（図４に示した姿勢）とに昇降させることができる。
【００４８】
また、図６および図７に示すように、駆動機構２０は、連結軸４５を前傾待機姿勢用共孔４１ｂ、４２ｂに嵌合することによって、連結軸４５を中心に２つのリンク部材４１、４２を回動させ、２つのリンク部材４１、４２を折畳状態と展開状態とに変動させて、便座ベース３０がほぼ水平になる着座姿勢（図７に示した姿勢）と、便座ベース３０がその着座姿勢に対して前方に傾いた前傾待機姿勢（図６に示した姿勢）とに昇降させるものである。
【００４９】
さらに、図８および図９に示すように、駆動機構２０は、連結軸４５を前傾待機姿勢用共孔４１ｃ、４２ｃに嵌合することによって、同様にリンク部材４１、４２を折畳状態と展開状態とに変動させて、便座ベース３０がほぼ水平になる着座姿勢（図９に示した姿勢）と、便座ベース３０がその着座姿勢に対して前方に傾いた前傾待機姿勢であって、前傾待機姿勢用共孔４１ｂ、４２ｂに嵌合したときの前傾よりも前傾度合いの大きい前傾待機姿勢（図８に示した姿勢）とに昇降させるものである。
【００５０】
ベース部材２１には、アクチュエータ９０とプーリ部材１０１との間の高さに中継プーリ１０５が回転可能に支持されている。
【００５１】
アクチュエータ９０は、本体ケース９１と、動力源であるモータＭと、モータＭの回転を減速して伝達手段１００へ出力するための減速機構、モータＭを制御するためのコントローラなどを備えている。また、アクチュエータ９０は、リンク機構の下方に配されている。アクチュエータ９０をリンク機構の下方に配することで、アクチュエータ９０とリンク機構とを水平に並べて配置しないで済み、リンク機構およびその周辺部材の厚みを減らして、リンク機構回りを薄型にすることができる。
【００５２】
伝達手段１００は、ワイヤ１０３、１０４が巻き掛けられた前記のプーリ部材１０１および中継プーリ１０５、アクチュエータ９０の動力によってワイヤ１０３、１０４を巻き取ったり、巻き戻したりするための不図示の巻取り／巻戻し機構などを備えている。なお、ワイヤ１０３は、便器１の両側のうち図示されない方に配設されたリンク機構にアクチュエータ９０の動力を伝達するためのものである。この伝達手段１００により、アクチュエータ９０を各リンク機構に対応して便器１の両側にそれぞれ設ける必要がない。
【００５３】
図１〜図３に示すように、以上のように構成された昇降便座には、駆動機構２０に外郭カバー６０が外装されている。  
外郭カバー６０は、駆動機構２０を側面側から覆うための下部カバーと、駆動機構２０を便座ベース３０の上から覆うため上部カバー６０ｂとを有している。これら、下部カバー６０ａと上部カバー６０ｂとは、便座１０を上昇した状態にしても互いに重なるように構成されている。
【００５４】
上部カバー６０ｂには、上部カバー６０ｂに着脱可能な待機姿勢変更部６１と、昇降便座の動作を操作するための操作スイッチ６３と、手で握ることができるグリップ６４とが設けられている。待機姿勢変更部６１は、便座１０の待機姿勢を変更するために水平待機姿勢用共孔４１ａ、４２ａ、前傾待機姿勢用共孔４１ｂ、４２ｂおよび前傾待機姿勢用共孔４１ｃ、４２ｃのいずれかの共孔に嵌合している連結軸４５を取り外して他の共孔に取り付ける作業をするときに上部カバー６０ｂから外すだけで当該作業を可能にするものである。
【００５５】
この待機姿勢変更部６１は、上部カバー６０ｂの外表面に一体となるように形成されている。また、待機姿勢変更部６１には、取付けねじ６１ｂによって上部カバー６０ｂに取り付けるためのねじ穴６１ａが穿設されている。この待機姿勢変更部６１を上部カバー６０ｂから取り外すと、上部カバー６０ｂに穿設された貫通孔６２が現れる。
【００５６】
この貫通孔６２は、便座ベース３０が着座姿勢にあるときに、水平待機姿勢用共孔４１ａ、４２ａ、前傾待機姿勢用共孔４１ｂ、４２ｂ、前傾待機姿勢用共孔４１ｃ、４２ｃ、およびこれらのいずれかに嵌合している連結軸４５が露出する位置および大きさに形成されている。したがって、待機姿勢変更部６１を上部カバー６０ｂから外すだけで、上記の待機姿勢を変更するための作業をすることができる。貫通孔６２の周縁には、待機姿勢変更部６１を上部カバー６０ｂに取り付けたときに、待機姿勢変更部６１を受ける受部６２ｂが形成されている。
【００５７】
この受部６２ｂは、上部カバー６０ｂの外表面から窪んでおり、待機姿勢変更部６１を取り付けたときに待機姿勢変更部６１の外表面が上部カバー６０ｂの外表面と一体になるように形成されている。また、受部６２ｂには、待機姿勢変更部６１を固定するときに待機姿勢変更部６１のねじ穴６１ａと同心になるように形成されたねじ穴６２ａが形成されている。
【００５８】
待機姿勢変更部６１は、小ぶりの部材である上に上部カバー６０ｂに容易に着脱することができるので、待機姿勢を変更するための作業が容易であり邪魔にならず、また、作業時間を短縮することができる。
【００５９】
次に作用を説明する。  
図５および図８に示すように、便器１の両側に一対の駆動機構２０が配され、一対の駆動機構２０のベース部材２１が便器１の両側側縁部にそれぞれ装着されている。その駆動機構２０に便座ベース３０を介して便座１０が支持されている。すなわち、本実施の形態に係る昇降便座は便器１に設置するものである。
【００６０】
図４および図５に示すように、連結軸４５を水平待機姿勢用共孔４１ａ、４２ａに嵌合させているとき、２つのリンク部材４１、４２が連結軸４５を中心に回動すると、便座ベース３０が駆動機構２０によって略水平な着座姿勢（図５に示す姿勢）と、その着座姿勢とほぼ同じ姿勢である水平待機姿勢（図４に示す姿勢）とに昇降するようになっている。
【００６１】
便座ベース３０を着座姿勢から水平待機姿勢にするには、連結軸４５を水平待機姿勢用共孔４１ａ、４２ａに嵌合させ、駆動モータＭを正転させればよい。操作スイッチ６３を操作することによって駆動モータＭが正転すると、ワイヤ１０３、１０４が巻き取られ、ワイヤ１０３、１０４が巻き掛けられたプーリ部材１０１がガイド溝２３ａに沿って移動する。
【００６２】
これにより、２つのリンク部材４１、４２が連結軸４５を中心に回動して、折畳状態から展開状態に変動する。したがって、２つのリンク部材４１、４２は共に倒伏した状態から共に起立した状態になって、便座ベース３０が着座姿勢とほぼ同じ姿勢を維持しながら水平待機姿勢に上昇する。
【００６３】
便座１０を水平待機姿勢から着座姿勢に下降させるときは、駆動モータＭを逆転させればよい。これにより、ワイヤ１０４が巻き戻され、ワイヤ１０４が巻き掛けられたプーリ部材１０１がガイド溝２３ａに沿って逆方向に移動する。
【００６４】
これにより、２つのリンク部材４１、４２が連結軸４５を中心に回動して、展開状態から折畳状態に変動する。したがって、２つのリンク部材４１、４２が共に起立した状態から共に倒伏した状態になって、便座１０が水平待機姿勢から略水平な姿勢を維持しながら着座姿勢に下降する。
【００６５】
このように便座ベース３０が水平待機姿勢になるように動作する昇降便座を便座ベース３０が前傾して待機する前傾待機姿勢にするには、先ず、便座ベース３０を図５の着座姿勢にして、待機姿勢変更部６１の取付けねじ６１ｂを外して待機姿勢変更部６１を上部カバー６０ｂから外す。これにより、貫通孔６２から駆動機構２０の全ての共孔と連結軸４５とが露出する。このとき、連結軸４５は、水平待機姿勢用共孔４１ａ、４２ａに嵌合している。この連結軸４５を水平待機姿勢用共孔４１ａ、４２ａから外して、前傾待機姿勢用共孔４１ｂ、４２ｂまたは前傾待機姿勢用共孔４１ｃ、４２ｃに嵌合させる。
【００６６】
例えば、図７のように水平待機姿勢用共孔４１ａ、４２ａの隣にある前傾待機姿勢用共孔４１ｂ、４２ｂに嵌合させる。次に、待機姿勢変更部６１を取付けねじ６１ｂで上部カバー６０ｂに固定すればよい。
【００６７】
このようにして、連結軸４５を前傾待機姿勢用共孔４１ｂ、４２ｂに嵌合し、昇降便座は、前記のように駆動モータＭの回転による駆動力によって２つのリンク部材４１、４２が動作して、図７に示した着座姿勢にある便座ベース３０は、徐々に前傾の度合いを大きくしながら、図６に示した前傾待機姿勢まで上昇する。この前傾待機姿勢から着座姿勢まで便座ベース３０が戻るときは、前傾の度合いを徐々に小さくしながら便座ベース３０がほぼ水平となる着座姿勢まで下降する。
【００６８】
前傾待機姿勢における便座ベース３０の前傾角度をより大きくしたいときには、前記のように便座ベース３０が着座姿勢にある状態で上部カバー６０ｂから待機姿勢変更部６１を取り外し、連結軸４５を前傾待機姿勢用共孔４１ｂ、４２ｂから外して前傾待機姿勢用共孔４１ｃ、４２ｃに嵌合させればよい。
【００６９】
これにより、便座ベース３０は、図９に示したほぼ水平状態にある着座姿勢から徐々に前傾角度を増して図８に示す大きく前傾した前傾待機姿勢まで上昇する。これにより、前傾待機姿勢は図６に示した場合よりも大きく前傾するようにできる。この前傾待機姿勢から着座姿勢まで便座ベース３０が戻るときは、前記したように前傾の度合いを徐々に小さくしながら便座ベース３０がほぼ水平となる着座姿勢まで下降する。
【００７０】
以上説明した本実施の形態では、駆動機構２０は、２つのリンク部材４１、４２を備えたものに限らず、４つのリンク部材を備えた、平行四節リンクに類似したものであってもよく、５以上のリンク部材を備えたものであってもよい。リンク部材４１の共孔とリンク部材４２の共孔とは、それぞれ連結軸４５によって連結されるべきもの同士の位置が一致して同心となる姿勢のときにそれらを露出させることができる位置と範囲に待機姿勢変更部６１を設けておけば、４つのリンク部材で平行四節リンクに類似した駆動機構２０を構成し、連結軸４５を水平待機姿勢用共孔４１ａ、４２ａに嵌合すれば、便座１０は略水平な姿勢を維持しながら昇降するようになる。一方、４つのリンク部材で平行四節リンクにならないように駆動機構２０を構成し、連結軸４５を前傾待機姿勢用共孔４１ｂ、４２ｂまたは前傾待機姿勢用共孔４１ｃ、４２ｃに嵌合すれば、便座１０が着座姿勢からその姿勢を前方へ傾けながら昇降するようになる。
【００７１】
さらに、本実施の形態においては、２つのリンク部材４１、４２の互いに重なる部分に共孔を穿設する場合に、少なくとも水平待機姿勢用共孔４１ａ、４２ａと前傾待機姿勢用共孔４１ｂ、４２ｂとを含むようにすればよい。また、図示したように水平待機姿勢用共孔４１ａ、４２ａ、前傾待機姿勢用共孔４１ｂ、４２ｂ、および前傾待機姿勢用共孔４１ｃ、４２ｃを含め共孔を３またはそれ以上設けるようにしてもよい。
【図面の簡単な説明】
【００７２】
【図１】本発明の一実施の形態に係る昇降便座を示す分解斜視図である。
【図２】本発明の一実施の形態に係る昇降便座の斜視図であって、便座が下降している状態を示す図である。
【図３】図２における待機姿勢変更部を外郭カバーから外した状態を示す部分斜視図である。
【図４】本発明の一実施の形態に係る昇降便座において、便座ベースが上昇して、着座姿勢とほぼ同じ姿勢である水平待機姿勢になったときの駆動機構を示す側面図である。
【図５】同じく昇降便座において、便座ベースを下降させたときの駆動機構を示す側面図である。
【図６】本発明の一実施の形態に係る昇降便座において、便座ベースが上昇して、着座姿勢に対して前方に傾いた前傾待機姿勢となったときの駆動機構を示す側面図である。
【図７】図６の前傾待機姿勢から便座ベースを下降させたときの駆動機構を示す側面図である。
【図８】図６の前傾待機姿勢よりも前傾の度合いが大きくなるように調節したときの前傾待機姿勢時の駆動機構を示す側面図である。
【図９】図８の前傾待機姿勢から便座ベースを下降させたときの駆動機構を示す側面図である。
【符号の説明】
【００７３】
Ｍ…駆動モータ
１…便器
１０…便座
２０…駆動機構
２１…ベース部材
２３ａ…ガイド溝
３０…便座ベース
４１…リンク部材
４１ａ、４２ａ…水平待機姿勢用共孔
４１ｂ、４２ｂ…前傾待機姿勢用共孔
４１ｃ、４２ｃ…前傾待機姿勢用共孔
４２…リンク部材
４５…連結軸
５７ａ、５７ｂ…軸部材
６０…外郭カバー
６０ａ…下部カバー
６０ｂ…上部カバー
６１…待機姿勢変更部
６１ａ、６２ａ…ねじ穴
６１ｂ…取付けねじ
６２…貫通孔
６２ｂ…受部
６３…操作スイッチ
６４…グリップ
９０…アクチュエータ
９１…本体ケース
１００…伝達手段
１０１…プーリ部材
１０３、１０４…ワイヤ
１０５…中継プーリ
【図１】
2008161400.tif 000003
【図２】
2008161400.tif 000004
【図３】
2008161400.tif 000005
【図４】
2008161400.tif 000006
【図５】
2008161400.tif 000007
【図６】
2008161400.tif 000008
【図７】
2008161400.tif 000009
【図８】
2008161400.tif 000010
【図９】
2008161400.tif 000011